(57)【要約】【課題】  作業性を向上でき、芯線を規定の長さ寸法に容易かつ正確に合わせることができる配線器具用ストリップゲージを提供すること。【解決手段】  ストリップゲージ１は、プレート枠１０の裏部に設けられて長手方向の一端にプレート枠１０の外側面から外部に開口する開口端１０ｅを備えた溝部１０ｃと、開口部１０ａの側部から溝部１０ｃの短手方向に突出した突出片１０ｄとからなり、溝部１０ｃは、長手方向の他端を開口部１０ａに連通され、突出片１０ｄは、溝部１０ｃの開口端１０ｅから最も離れた面と溝部１０ｃの開口端１０ｅとの間の長さ寸法が、電線の芯線の規定の長さ寸法となるように設けられている。【選択図】図１
2005218173.tif 000002
【特許請求の範囲】
【請求項１】
配線器具を取り付けるための取付プレートの裏部に、電線の被覆部の端部を当接する当接面と、前記電線の被覆部の端部から露出した芯線を添わせて、前記芯線を前記配線器具の外側面から外部に臨ませるガイド部とを備え、前記当接面と前記外側面との間の長さ寸法を、前記芯線の規定の長さ寸法としていることを特徴とする配線器具用ストリップゲージ。
【請求項２】
前記配線器具は、スイッチ機構部を収納されたボディと、前記スイッチ機構部の操作部を備えて前記ボディに嵌め合わされるカバープレートとから構成されたスイッチ装置であって、前記配線器具の取付プレートは、前記カバープレートであることを特徴とする請求項１記載の配線器具用ストリップゲージ。
【請求項３】
前記配線器具は、栓刃受部を収納したボディ、及び前記栓刃受部に対応するコンセント口を備えて前記ボディに嵌め合わされるカバーからなる本体部と、前記本体部の側周部に嵌着されるプレート枠とから構成されたコンセント装置であって、前記配線器具の取付プレートは、前記プレート枠であることを特徴とする請求項１記載の配線器具用ストリップゲージ。
【請求項４】
前記配線器具は、栓刃受部を収納するとともに電源と前記栓刃受部との通電をオン・オフするスイッチ機構部を備えたボディ、及び前記栓刃受部に対応するコンセント口を備えて前記ボディに嵌め合わされるカバーからなる本体部と、前記本体部の側部に突設されて前記スイッチ機構部の操作部が配置される配置部と、前記操作部を前面に露出する開口部を有して前記本体部の側周部に嵌着されるプレート枠とから構成されたスイッチ付きコンセント装置であって、前記配線器具の取付プレートの裏部は、前記配置部の裏部及び前記プレート枠の裏部からなり、前記当接面を前記配置部の裏部に設け、前記ガイド部を前記配置部の裏部に近接する前記プレート枠に設けていることを特徴とする請求項１記載の配線器具用ストリップゲージ。
【請求項５】
前記配線器具の取付プレートの裏部に、配線器具用ストリップゲージを示す表示部を備えていることを特徴とする請求項１乃至４いずれか記載の配線器具用ストリップゲージ。
【発明の詳細な説明】
【技術分野】
【０００１】
本発明は、配線器具に備えるストリップゲージに関する。
【背景技術】
【０００２】
従来より、電線の被覆部を剥がして露出させる芯線の長さ寸法を規定の長さ寸法にするためのストリップゲージを備えた配線器具１０５が提供されている。この配線器具１０５は、図８に示すように、刃受ばねや速結端子等を収納するとともに、裏部に電源からの電線を速結端子に接続するための電線挿入孔１０１ａを備えたボディ１０１、及びボディ１０１の前面に被着されるカバー１０４からなる本体部と、前記本体部を壁面等に取り付ける取付孔１０２ａを備えて、前記本体部の側周部に嵌着されるプレート枠１０２とを備え、配線器具１０５のボディ１０１の裏部に、溝状のストリップゲージ１０３を設け、このストリップゲージ１０３の底部に芯線の規定の長さ寸法を表示する表示部１０３ａを付設されて構成されていた。
【０００３】
また、このようなストリップゲージとしては、配線器具に備えられ、電線における被覆された部分の断面に応じた断面寸法を有する第１の溝部と、電線の芯線の断面に応じた断面寸法を有し、第１の溝部と互いに長手方向一端側で連通する第２の溝部からなり、第２の溝部を、長手方向の寸法がゲージとして規定された基準寸法となるように形成するとともに、第２の溝部における第１の溝部と反対側の一端を外部に開放したものが提供されている（特許文献１）。
【特許文献１】特開２００３−１０２１１３号公報（第６図、第７図）
【発明の開示】
【発明が解決しようとする課題】
【０００４】
上述の前者は、配線器具１０５のボディ１０１の裏部にストリップゲージ１０３を設けてあるが、ボディ１０１は、その裏部に電線挿入孔１０１ａ等を備えているためストリップゲージ１０３を設ける部位が制限されてしまうことが多い。そのため、ストリップゲージ１０３及びストリップゲージを示す表示部１０３ａを形成する部位を十分に確保することができないことが多く、このような場合、ストリップゲージ１０３を小さく形成しなくてはならなくなり、これにより、ストリップゲージ１０３が非常に見づらくなり、作業性が悪くなるという問題があった。
【０００５】
特に上述の後者は、第１の溝部と第２の溝部とからストリップゲージを構成することで、芯線の長さ寸法を規定の長さ寸法に容易かつ正確に合わせるという効果を奏することができるものの、ストリップゲージを設けるために必要な部位が上述の前者に比べて大幅に増加してしまうため、配線器具のボディの形状によっては、ストリップゲージを設けることが困難となり、その効果を十分に発揮できなくなるという問題があった。
【０００６】
本発明は上述の点に鑑みて為されたもので、その目的は、作業性を向上でき、芯線を規定の長さ寸法に容易かつ正確に合わせることができる配線器具用ストリップゲージを提供することである。
【課題を解決するための手段】
【０００７】
上述の課題を解決するために、請求項１の発明では、配線器具を取り付けるための取付プレートの裏部に、電線の被覆部の端部を当接する当接面と、前記電線の被覆部の端部から露出した芯線を添わせて、前記芯線を前記配線器具の外側面から外部に臨ませるガイド部とを備え、前記当接面と前記外側面との間の長さ寸法を、前記芯線の規定の長さ寸法としていることを特徴とする配線器具用ストリップゲージとした。
【０００８】
請求項１の発明によれば、電線の被覆部の端部を当接面に当接させた状態で、電線の被覆部から突出した芯線を、ガイド部に添わせて配線器具の外側面から外部へ臨ませて、芯線の外側面から外部へ突出した部位を切断することで、芯線の長さ寸法を規定の長さ寸法に容易かつ正確に合わせることができ、これにより、従来のように芯線の長さ寸法が作業者によってばらつくことがなくなり、例えば、芯線が所定の長さ寸法より短い長さ寸法になることによる接触不良や、芯線が所定の長さ寸法より長い長さ寸法になることによる充電部の露出等を防ぐことができる。さらに、配線器具用ストリップゲージを取付プレートの裏部に設けてあるため、配線器具用ストリップゲージを形成する部位を十分に確保することができる。これにより、配線器具用ストリップゲージを大きく表示して見やすくでき、作業性が向上する。
【０００９】
請求項２の発明では、請求項１の発明の構成に加えて、前記配線器具は、スイッチ機構部を収納されたボディと、前記スイッチ機構部の操作部を備えて前記ボディに嵌め合わされるカバープレートとから構成されたスイッチ装置であって、前記配線器具の取付プレートは、前記カバープレートであることを特徴とする配線器具用ストリップゲージとした。
【００１０】
請求項２の発明によれば、カバープレートの裏部に配線器具用ストリップゲージを設けてあるので、配線器具用ストリップゲージを形成する部位を十分に確保することができる。これにより、配線器具用ストリップゲージを大きく表示して見やすくすることができ、作業性が向上する。
【００１１】
請求項３の発明では、請求項１の発明の構成に加えて、前記配線器具は、栓刃受部を収納したボディ、及び前記栓刃受部に対応するコンセント口を備えて前記ボディに嵌め合わされるカバーからなる本体部と、前記本体部の側周部に嵌着されるプレート枠とから構成されたコンセント装置であって、前記配線器具の取付プレートは、前記プレート枠であることを特徴とする配線器具用ストリップゲージとした。
【００１２】
請求項３の発明によれば、本体部に嵌着されるプレート枠に配線器具用ストリップゲージを設けてあるので、配線器具用ストリップゲージを形成する部位を十分に確保することができ、配線器具用ストリップゲージを大きく表示することができる。そのため、配線器具用ストリップゲージが見やすくなり、作業性が向上する。また、このようなプレート枠は、嵌着するコンセント装置の本体部を取り替え可能とすることで様々なコンセント装置に利用できるため、配線器具用ストリップゲージの形状を容易に統一することができる。
【００１３】
請求項４の発明では、請求項１の発明の構成に加えて、前記配線器具は、栓刃受部を収納するとともに電源と前記栓刃受部との通電をオン・オフするスイッチ機構部を備えたボディ、及び前記栓刃受部に対応するコンセント口を備えて前記ボディに嵌め合わされるカバーからなる本体部と、前記本体部の側部に突設されて前記スイッチ機構部の操作部が配置される配置部と、前記操作部を前面に露出する開口部を有して前記本体部の側周部に嵌着されるプレート枠とから構成されたスイッチ付きコンセント装置であって、前記配線器具の取付プレートの裏部は、前記配置部の裏部及び前記プレート枠の裏部からなり、前記当接面を前記配置部の裏部に設け、前記ガイド部を前記配置部の裏部に近接する前記プレート枠に設けていることを特徴とする配線器具用ストリップゲージとした。
【００１４】
請求項４の発明によれば、配置部の裏部と本体部に嵌着されるプレート枠とを用いて配線器具用ストリップゲージを形成してある。これにより、配置部の裏部を利用して、配線器具用ストリップゲージを形成する部位を十分に確保することができる。そのため、配線器具用ストリップゲージを大きく表示して見やすくすることができ、作業性を向上することができる。
【００１５】
請求項５の発明では、請求項１乃至４いずれか記載の発明の構成に加えて、前記配線器具の取付プレートの裏部に、配線器具用ストリップゲージを示す表示部を備えていることを特徴とする配線器具用ストリップゲージとした。
【００１６】
請求項５の発明によれば、配線器具用ストリップゲージを示す表示部を形成する部位を、配線器具用ストリップゲージを形成する部位と同様に、十分に確保することができる。これにより、表示部を大きく表示して見やすくできる。
【発明の効果】
【００１７】
本発明は、電線の被覆部の端部を当接面に当接させた状態で、電線の被覆部から突出した芯線を、ガイド部に添わせて配線器具の外側面から外部へ臨ませて、芯線の外側面から外部へ突出した部位を切断することで、芯線の長さ寸法を規定の長さ寸法に容易かつ正確に合わせることができ、これにより、従来のように芯線の長さ寸法が作業者によってばらつくことがなくなり、例えば、芯線が所定の長さ寸法より短い長さ寸法になることによる接触不良や、芯線が所定の長さ寸法より長い長さ寸法になることによる充電部の露出等を防ぐことができ、さらに、配線器具用ストリップゲージを取付プレートの裏部に設けてあるため、配線器具用ストリップゲージを形成する部位を十分に確保することができ、これにより、配線器具用ストリップゲージを大きく表示して見やすくでき、作業性が向上するという効果がある。
【発明を実施するための最良の形態】
【００１８】
（実施形態１）
本発明のストリップゲージ１は、配線器具用ストリップゲージであり、本実施形態では、図１及び図２に示す壁面取付型のスイッチ付きコンセント装置２にストリップゲージ１を設けてある。
【００１９】
このスイッチ付きコンセント装置２は、図２に示すように、刃受ばね２５、２６、２７を収納するとともに、電源と刃受ばね２７との通電をオン・オフするスイッチ機構部４を備えたボディ５、及び刃受ばね２５、２６、２７に対応するコンセント口６ａを備えてボディ５の前面に嵌め合わされるカバー６からなる本体部７と、ボディ５の側部に突設されてスイッチ機構部４の操作部８が配置される配置部９と、操作部８を前面に露出する開口部１０ａを有して本体部７の側周部に嵌着されるプレート枠１０と、プレート枠１０の前面に被着されてカバー６及び操作部８を前面に露出する化粧プレート１１とから構成され、プレート枠１０の裏部にストリップゲージ１（図１（ｃ）参照）を備えている。
【００２０】
ボディ５は、前面が開口する略箱形状に形成されるとともに、ボディ５の側周部から外部へ突出した平板状の被支持部２８と、ボディ５の長手方向において対向する両側部からボディ５の前面方向に突設された一対の平板状の片部２９とを備え、被支持部２８は、後述するプレート枠１０に形成された支持部３０に支持され、片部２９には、後述するカバー６に形成された係止爪６ｂを係止する係止孔２９ａが設けられている。
【００２１】
また、ボディ５は、その内部を隔壁により仕切られて、略中央部に第１の収納部３１と、ボディ５の短手方向の一端側に第２の収納部３２と、ボディ５の短手方向の他端側に第３の収納部３３とを備えるとともに、各収納部３１、３２、３３の底面に、電源からの電線１３（図３参照）を差し込まれる一対の電線挿入孔５ａ（図１（ｃ）参照）を設けてある。
【００２２】
このように構成されたボディ５は、その収納部３１、３２、３３に、プラグの栓刃を狭持する刃受ばね２５、２６、２７と、一対の鎖錠ばねを備えて電線１３を狭持する端子板１２と、リード板３４と、リード板３４に揺動自在に支持される開閉素子３５と、開閉素子３５が接触離反される接点３６ａを一端部に備えたリード板３６と、端子板１２の鎖錠ばねを押圧して電線１３を取り外すための解除レバー３７とが次のようにして収納されている。
【００２３】
第１の収納部３１は、上面に刃受ばね２５を固着された端子部１２を、第１の収納部３１の底面に開口した電線挿入孔５ａと対応させて収納するとともに、この端子部１２から電線を取り外すための解除レバー３７を第１の収納部３１の底面からボディ５の裏部に一部突出させて揺動自在に収納している。
【００２４】
第２の収納部３２は、側部に刃受ばね２６を固着された端子部１２を、第２の収納部３２の底面に開口した電線挿入孔５ａと対応させて収納するとともに、この端子部１２から電線を取り外すための解除レバー３７をボディ５の短手方向の一端の側部から一部突出させて揺動自在に収納している。
【００２５】
第３の収納部３３は、上面にリード板３４を固着された端子部１２を、第３の収納部３３の底面に開口した電線挿入孔５ａと対応させて収納するとともに、この端子部１２から電線を取り外すための解除レバー３７をボディ５の短手方向の他端の側部から一部突出させて揺動自在に収納している。加えてリード板３４に開閉素子３５を揺動自在に支持させ、リード板３６の接点３６ａがこの開閉素子３５と接触離反する位置にリード板３６を収納して、このリード板３６の他端部の載置部３６ｂに刃受ばね２７をかしめ鋲３８により固着してある。
【００２６】
また、スイッチ機構部４の操作部８を配置される平板状の配置部９がボディ５の短手方向の他端から側方へ突設されている。操作部８は、短手方向の側部から揺動軸部８ａが突設されており、この揺動軸部８ａを第３の収納部３３に収納された開閉素子３５の上部に係合するとともに、コイルスプリング３９によりボディ５の前面方向へ付勢されて配置部９に配置されている。加えて配置部９の裏面には、ストリップゲージ１を示す表示部９ａ（図１（ｃ）参照）が設けられている。
【００２７】
カバー６は、裏面が開口する略箱形状に形成されて、その前面に、ボディ５に収納した刃受ばね２５、２６、２７にプラグの栓刃を接続するためのコンセント口６ａを有している。このカバー６の裏部には、コンセント口６ａを一括して塞ぐ扉体３が、コイルスプリング４０によりカバー６の長手方向の一方向に付勢されるとともに、カバー６の長手方向にスライド可能に設けられている。この扉体３は、コンセント口６ａにプラグの栓刃が挿入されると、前記栓刃により、コイルスプリング４０により付勢された方向と反対方向へ押しのけられて、前記栓刃を挿通可能とするものである。
【００２８】
またカバー６の長手方向の両側部には、前記一対の係止爪６ｂが突設されており、この係止爪６ｂをボディ５に設けた片部２９の係止穴２９ａに係止させて、カバー６は、ボディ５の前面から被着される。一方、このカバー６の短手方向の一方の側部には、切欠部６ｃが設けられており、この切欠部６ｃは、操作部８の揺動軸部８ａをボディ５と狭持して揺動自在に支持する揺動支持部として用いられる。
【００２９】
本体部７は、刃受ばね２５、２６、２７と、３つの端子板１２と、リード板３４と、開閉素子３５と、リード板３６と、３つの解除レバー３７と、操作部８を上述したように備えたボデイ５に、カバー６の係止爪６ｂをボディ５に設けた片部２９の係止穴２９ａに係止させて、カバー６を被着して構成されている。
【００３０】
このように構成された本体部７において、刃受ばね２５、２６、２７がそれぞれカバー６のコンセント口６ａから差し込まれるプラグの栓刃を接続される栓刃受部となり、端子板１２がそれぞれボディ５の電線挿入孔５ａから差し込まれる電線１３を接続される速結端子部となる。加えて、リード板３４、開閉素子３５、リード板３６、操作部８、コイルスプリング３９とからスイッチ機構部４が構成されており、このスイッチ機構部４は、ボディ５及びカバー６の切欠部６ｃにより揺動自在に支持された操作部８により、開閉素子３５をリード板３６の接点３６ａと接触若しくは離反させることができ、これにより、第３の収納部３３に設けられた端子板１２と刃受ばね２７との間の通電をオン・オフすることができる。
【００３１】
而して、本体部７は、電源からの電線１３が接続される速結端子部と、負荷に備えたプラグの栓刃が接続される栓刃受部と、この速結端子部と栓刃受部との間の通電をオン・オフするスイッチ機構部４を備えている。
【００３２】
プレート枠１０は、中央部が開口した枠体からなり、本体部７を壁面や造営面等に取り付けるための一対の取付穴１０ｂを備えている。また、この開口の縁部には、ボディ５の前記被支持部２８を支持する支持部３０と、ボディ５の配置部９をプレート枠１０の前面から露出する開口部１０ａとを備えている。従って、プレート枠１０は、中央部の開口に本体部７を位置させるとともに、支持部３０によりボディ５の被支持部２８を支持し、かつ、開口部１０ａからボディ５の配置部９をプレート枠１０の前面に露出して、本体部７の側周部に嵌着される。
【００３３】
上記のように本体部７にプレート枠１０が嵌着されると、図１（ｃ）に示すように、開口部１０ａはボディ５の配置部９の裏部に位置して、配置部９の裏面に設けた表示部９ａをプレート枠１０の裏面から露出する。
【００３４】
一方、プレート枠１０の裏部には、図１（ｃ）に示すように溝部１０ｃを設けてある。溝部１０ｃは、その長手方向の一端にプレート枠１０の外側面から外部に開口する開口端１０ｅを備え、溝部１０ｃの長手方向の他端は開口部１０ａと連通している。さらに、開口部１０ａの側部から溝部１０ｃの短手方向に突出した突出片１０ｄをプレート枠１０に設けてある。この突出片１０ｄは、溝部１０ｃの開口端１０ｅから最も離れた突出片１０ｄの面と溝部１０ｃの開口端１０ｅとの間の長さ寸法が、電線１３の芯線１３ｃを本体部７の前記速結端子部に接続するのに適した長さ寸法、すなわち、電線１３の芯線１３ｃの規定の長さ寸法となるように設けられている。而して、配置部９の裏部にあたる開口部１０ａに備えた突出片１０ｄと、プレート枠１０の裏部に備えた溝部１０ｃとから、ストリップゲージ１を構成してある。
【００３５】
化粧プレート１１は、中央に開口部４１を有する略平板状に形成されて、本体部７に嵌着したプレート枠１０にプレート枠１０の前面から被着される。このとき化粧プレート１１は、開口部４１から本体部７のカバ−６及び操作部８を化粧プレート１１の前面に露出するとともに、プレート枠１０の前面を完全に被覆している。
【００３６】
以上により、スイッチ付きコンセント装置２は構成されており、次に、ストリップゲージ１について説明する。
【００３７】
本実施形態のストリップゲージ１は、上述したようにプレート枠１０に設けた開口部１０ａ、溝部１０ｃ、及び突出片１０ｄから構成され、開口部１０ａに設けた突出片１０ｄの開口端１０ｅから最も離れた面を電線１３の被覆部１３ａの端部１３ｂを当接する当接面１０ｆとし、配置部９の裏部に近接するプレート枠１０に設けた溝部１０ｃを電線１３の被覆部１３ａの端部１３ｂから露出した芯線１３ｃを添わせて芯線１３ｃをプレート枠１０の外側面から外部に臨ませるガイド部とし、当接面１０ｆと開口端１０ｅとの間の長さ寸法を芯線１３ｃの規定の長さ寸法とするものである。従って、このストリップゲージ１を用いて電線１３の芯線１３ｃの長さ寸法を調整する際には、図３（ａ）、（ｂ）に示すように、電線１３の被覆部１３ａの端部１３ｂを当接面１０ｆに当接させるとともに、電線１３の被覆部１３ａの端部１３ｂから露出した芯線１３ｃを溝部１０ｃに添わせてプレート枠１０の外側面から外部に臨ませて、電線１３をストリップゲージ１に載置し、当接面１０ｆと開口端１０ｅとの間の長さ寸法に芯線１３ｃの長さ寸法を合わせるようにして、芯線１３ｃの長さ寸法を調整する。なお、電線１３が太い場合でも図３（ｃ）に示すようにして上述と同様に芯線１３ｃの長さ寸法を調整することができる。
【００３８】
加えて、本実施形態のストリップゲージ１は、溝部１０ｃに開口端１０ｅを設けて、芯線１３ｃをプレート枠１０の外側面から外部へ突出可能にしてあるため、上述のように電線１３をプレート枠１０のストリップゲージ１に載置した後、図３（ｄ）に示すように、芯線１３ｃの開口端１０ｅからプレート枠１０の外部へ突出した部位をニッパ等で切断することができる。これにより、電線１３をストリップゲージ１に載置させたまま、芯線１３ｃの長さ寸法をボディ５の前記速結端子部に適合した規定の長さ寸法に調整することができる。
【００３９】
本実施形態によれば、電線１３の被覆部１３ａの端部１３ｂを当接面１０ｆに当接させた状態で、電線１３の被覆部１３ａから突出した芯線１３ｃを、溝部１０ｃからなるガイド部に添わせてプレート枠１０の外側面から外部へ臨ませて、芯線１３ｃの外側面から外部へ突出した部位を切断することで、芯線１３ｃの長さ寸法を規定の長さ寸法に容易かつ正確に合わせることができる。これにより、従来のように芯線１３ｃが規定の長さ寸法になるまで、電線１３の被覆部１３ａをストリッパ等で繰り返し切断する必要がなくなる。また、従来の方法と異なり、芯線１３ｃの長さ寸法が作業者によってばらつくことがなくなる。そのため、例えば、芯線１３ｃが所定の長さ寸法より短い長さ寸法になることによる電線と速結端子部との接触不良や、芯線１３ｃが所定の長さ寸法より長い長さ寸法になることによる充電部である芯線１３ｃの露出等の問題を防ぐことができる。
【００４０】
さらに、本体部７を取り付けるための取付プレートであるプレート枠１０の裏部だけではなく、配置部９の裏部にあたる開口部１０ａに当接面１０ｆを設けてストリップゲージ１の一部として用いており、このようにプレート枠１０の空スペースを有効利用することで、ストリップゲージ１を形成する部位を十分に確保することができる。また、このように空きスペースをストリップゲージ１の一部として利用することで、ストリップゲージ１を形成する手間を削減でき、コストの低減を図ることができる。
【００４１】
加えて、本実施形態では、表示部９ａを空きスペースである配置部９の裏面に設けて、プレート枠１０の開口部１０ａから露出するようにしてあるため、空きスペースを利用して表示部９ａを大きく形成することができる。また、このような本体部７を壁面に取り付けるためのプレート枠１０は、本体部７に比べて大きく形成されているため、プレート枠１０の裏部に表示部を設けることとしても、表示部を形成する部位を十分に確保することができる。このように表示部を大きく形成することで、ストリップゲージ１の位置や、芯線１３ｃの規定の長さ寸法を示す値等を見やすく表示することができ、作業性が向上する。
【００４２】
このようなストリップゲージ１は、配線器具に設けられるものであり、配線器具は上述のようなスイッチ付きコンセント装置２に限られるものではなく、図４（ａ）〜（ｄ）に示すようなコンセント装置１４に設けることとしてもよい。
【００４３】
このコンセント装置１４は、図５に示すように、上述のスイッチ付きコンセント装置２と比べて、スイッチ機構部４、及び配置部９を備えておらず、そのため、第３の収納部３３では、端子板１２の側部に刃受ばね２７を固着して収納してある。その他の構成はスイッチ付きコンセント装置２と同様である。この両者においてプレート枠１０は共通のものを用いてあり、このように、プレート枠１０は、プレート枠１０に嵌着するスイッチ付きコンセント装置２やコンセント装置１４等の配線器具の本体部７を取り替え可能とすることで、様々な配線器具に利用することができる。そのため、ストリップゲージ１の形状や表示部の表示内容等を容易に統一することができる。
（実施形態２）
本実施形態では、図６及び図７に示す壁面取付型のスイッチ装置１５にストリップゲージ１を設けてある。
【００４４】
このスイッチ装置１５は、図６に示すように、スイッチ機構部１６を収納されたボディ１７と、スイッチ機構部１６の操作部１８を備えてボディ１７に嵌め合わされるカバープレート１９と、カバープレート１９の前面から被着される化粧プレート２０とから構成され、カバープレート１９の裏部にストリップゲージ１（図７（ａ）参照）を備えている。
【００４５】
ボディ１７は、前面が開口する略箱形状に形成されるとともに、ボディ５の短手方向において対向する両側部からボディ１７の前面方向に突設された引掛片部４２を備え、引掛片部４２は、後述するカバープレート１９の裏部に形成された引掛受部（図示せず）に係止される。
【００４６】
また、ボディ１７は、その内部をボディ１７の短手方向の側部に並行して設けられた隔壁４３、４４により仕切られて、略中央部に第１の収納部４５と、ボディ１７の長手方向の一端側に第２の収納部４６と、ボディ１７の長手方向の他端側に第３の収納部４７とを備えている。各収納部４５、４６、４７は、各収納部４５、４６、４７の短手方向の側部に並行して設けられた仕切板４８、４９により、中央部と両側部に３分割されている。この各収納部４５、４６、４７の前記両側部の底面に、電源からの電線を差し込まれる一対の電線挿入孔１７ａ（図７（ａ）参照）を設け、前記中央部を挟んで対向させている。
【００４７】
このように構成されたボディ１７は、その収納部４５、４６、４７に、一端側に後述する開閉素子５０を支持する載置部５１ａを備え、他端側に一対の鎖錠ばね５２を備えて電線を狭持する速結端子部となる第１の端子板５１と、第１の端子板５１に揺動自在に支持される前記開閉素子５０と、一端側に開閉素子５０が接触離反される接点板５３ａを備え、他端側に一対の鎖錠ばね５２を備えて電線を狭持する速結端子部となる第２の端子板５３と、各端子板５１、５３の鎖錠ばね５２を押圧して電線取り外すための解除レバー５４とが次のようにして収納されている。
【００４８】
第１の収納部４５は、第１の端子板５１の鎖錠ばね５２を第１の収納部４５の一方の前記側部に電線挿入孔１７ａと対応させて配置するとともに、第１の端子板５１の載置部５１ａを第１の収納部４５の前記中央部に露出させて、第１の端子板５１を収納している。また、第２の端子板５３の鎖錠ばね５２を第１の収納部４５の他方の前記側部に電線挿入孔１７ａと対応させて配置するとともに、第２の端子板５３の接点板５３ａを第１の収納部４５の前記中央部に露出させて、第２の端子板５３を収納している。また、開閉素子５０を第１の端子板５１の載置部５１ａに揺動自在に支持させてあり、加えて、解除レバー５４を、第１の収納部４５の前記両側部に設けたスリット５５からボディ１７の側方へ一部突出させて揺動自在に第１の収納部４５に収納してある。第２の収納部４６及び第３の収納部４７は、第１の端子板５１、第２の端子板５３、開閉素子５０、及び解除レバー５４を上述の第１の収納部４５と同様に収納している。
【００４９】
カバープレート１９は、平板状に形成され、カバープレート１９の中央部にカバープレート１９の長手方向に添って開口部１９ａを３つ設けるとともに、カバープレート１９の長手方向の両側部に、ボディ１７を壁面等に取り付けるための取付孔１９ｂを設けてある。この開口部１９ａのカバープレート１９の長手方向の両縁部には、カバープレート１９の前面方向に突出した突出片５６を形成してあり、この突出片５６に、後述するハンドル部２３の軸部２３ｃを軸支する軸受け部５６ａを形成してある。
【００５０】
一方、カバープレート１９の裏部には、ボディ１７に設けた引掛片部４２を係止される前記引掛受部（図示せず）が各引掛片部４２に対応して設けられている。従って、カバープレート１９は、ボディ１７の引掛片部４２をカバープレート１９の前記引掛受部に係止してボディ１７に被着される。また、各開口部１９ａは、カバープレート１９をボディ１７に被着した際に、各収納部４５、４６、４７にそれぞれ対応するように設けてある。また、図７（ａ）に示すように、カバープレート１９の裏部に一対の溝部１９ｃを設けてある。各溝部１９ｃは両端が開口した溝形状からなり、それぞれの一端にカバープレート１９の外側面から外部に開口する開口端１９ｄを備えている。また、各溝部１９ｃの他端の側部には突出片１９ｅを形成してあり、この突出片１９ｅは、開口端１９ｄから最も離れた突出片１９ｅの面と溝部１９ｃの開口端１９ｄとの間の長さ寸法が、電線の芯線をボディ１７の前記速結端子部に接続するのに適した長さ寸法となるように設けられている。そして、ボディ１７を壁面等に取り付けるための取付プレートであるカバープレート１９の裏部に設けた溝部１９ｃと突出片１９ｅとを用いて、ストリップゲージ１を構成してある。加えて、ストリップゲージ１の近傍には、ストリップゲージ１を示す表示部２１、２２が設けられている。これら表示部２１、２２は、例えば、電源の芯線の規定の長さ寸法等が表示されるものである。
【００５１】
操作部１８は、３組の前記ハンドル部２３と、各ハンドル部２３の前面からハンドル部２３を覆って嵌め合わされる３組の平板状のハンドルカバー２４とから構成されている。ハンドル部２３は、長方形状の平板部２３ａと、平板部２３ａの略中央部の下面から下方向に突設された基部２３ｂと、平板部２３ａの短手方向の基部２３ｂの両側部から外方へ突設された軸部２３ｃとを備えている。各ハンドル部２３は、基部２３ｂが開口部１９ａを挿通するとともに、軸部２３ｃを軸受け部５６ａに軸支されて、カバープレート１９の短手方向に揺動自在に備えられる。また、このハンドル部２３は、コイルスプリング５７によりカバープレート１９の前面方向に付勢されている。このようにカバープレート１９に備えられたハンドル部２３は、カバープレート１９をボディ１７に被着した際に、基部２３ｂで開閉素子５０を支持する。従って、開閉素子５０は、第１の端子部５１の載置部５１ａとハンドル部２３の基部２３ｂにより揺動自在に支持されることとなる。
【００５２】
化粧プレート２０は、中央部に開口部５８を有する枠体に形成され、カバープレート１９の前面に被着される。このとき、操作部１８のハンドルカバー２４は、化粧プレート２０の開口部５８から化粧プレート２０の前面に露出されている。
【００５３】
従って、スイッチ装置１５は、第１の端子部５１、第２の端子部５３、開閉素子５０からなるスイッチ機構部１６と、解除レバー５４とを収納したボディ１７に、操作部１８を備えたカバープレート１９を被着し、このカバープレート１９に化粧プレート２０を被着して構成されている。
【００５４】
このように構成されたスイッチ装置１５において、鎖錠ばね５２がそれぞれボディ１７の電線挿入孔１７ａから差し込まれる電線を接続される速結端子部となる。加えて、スイッチ機構部１６は、カバープレート１９に揺動自在に支持された操作部１８により、開閉素子５０を第２の端子部５３の接点板５３ａと接触若しくは離反させることができ、これにより、第１の端子部５１と第２の端子部５３間の通電を各収納部４５、４６、４７毎にオン・オフすることができる。
【００５５】
以上により、スイッチ装置１５は構成されており、次に、ストリップゲージ１について説明する。
【００５６】
本実施形態のストリップゲージ１は、上述したようにカバープレート１９に設けた溝部１９ｃ、及び突出片１９ｅから構成され、開口端１９ｄから最も離れた突出片１９ｅの面を前記電線の被覆部の端部を当接する当接面１９ｆとし、溝部１９ｃを前記電線の被覆部の端部から露出した芯線を添わせて芯線をカバープレート１９の外側面から外部に臨ませるガイド部とし、当接面１９ｆと開口端１９ｄとの間の長さ寸法を前記芯線の規定の長さ寸法とするものである。従って、このストリップゲージ１を用いて電線の芯線の長さ寸法を調整する際には、上述の実施形態１と同様に、電線の被覆部の端部を当接面１９ｆに当接させるとともに、前記電線の被覆部の端部から露出した芯線を溝部１９ｃに添わせて溝部１９ｃの開口端１９ｄからカバープレート１９の外部へ臨ませて、前記電線をストリップゲージ１に載置し、当接面１９ｆと開口端１９ｄとの間の長さ寸法に前記芯線の長さ寸法を合わせるようにして、前記芯線の長さ寸法を調整する。
【００５７】
加えて、このストリップゲージ１は、上述の実施形態１と同様に、溝部１９ｃに開口端１９ｄを設けて、芯線をカバープレート１９の外側面から外部へ突出可能にしてあるため、上述のように電線をカバープレート１９のストリップゲージ１に載置した後、電線の芯線の開口端１９ｄからカバープレート１９の外部へ突出した部位をニッパ等で切断することができる。これにより、電線をストリップゲージ１に載置させたまま、電線の被覆部から露出させる芯線の長さ寸法をボディ１７の前記速結端子部に適合した規定の長さ寸法に調整することができる。
【００５８】
本実施形態によれば、電線の被覆部の端部を当接面１９ｆに当接させた状態で、前記電線の被覆部から突出した芯線を、溝部１９ｃからなるガイド部に添わせてカバープレート１９の外側面から外部へ臨ませて、前記芯線の外側面から外部へ突出した部位を切断することで、前記芯線の長さ寸法を規定の長さ寸法に容易かつ正確に合わせることができる。これにより、従来のように芯線が規定の長さ寸法になるまで、電線の被覆部をストリッパ等で繰り返し切断する必要がなくなる。また、従来の方法とは異なり、芯線の長さ寸法が作業者によってばらつくことがなくなる。そのため、例えば、芯線が所定の長さ寸法より短い長さ寸法になることによる電線と速結端子部との接触不良や、芯線が所定の長さ寸法より長い長さ寸法になることによる充電部である芯線の露出等を防ぐことができる。
【００５９】
また、このような配線器具である壁面取り付け型のスイッチ装置１５において、本体部であるボディ１７を壁面に取り付けるための取付プレートであるカバープレート１９はボディ１７に比べて大きく形成されているため、ストリップゲージ１や表示部２１、２２を形成する部位を十分に確保することができる。これにより、ストリップゲージ１や表示部２１、２２の表示を大きくすることができ、そのため、ストリップゲージ１の位置や、芯線の規定の長さ寸法を示す値等を見やすく表示することができ、作業性が向上する。
【図面の簡単な説明】
【００６０】
【図１】（ａ）は、本発明の実施形態１のストリップゲージを備えたスイッチ付きコンセント装置の正面図であり、（ｂ）は、同上のスイッチ付きコンセント装置の下面図であり、（ｃ）は、同上のスイッチ付きコンセント装置の裏面図であり、（ｄ）は、同上のスイッチ付きコンセント装置の側面図である。
【図２】同上のスイッチ付きコンセント装置の分解斜視図である。
【図３】（ａ）は、本発明の実施形態１のストリップゲージに電線を載置した際の概略説明図であり、（ｂ）は、同上のストリップゲージに細い電線を載置した際の側面図であり、（ｃ）は、同上のストリップゲージに太い電線を載置した際の側面図であり、（ｄ）は、同上のストリップゲージにより電線を切断した際の概略説明図である。
【図４】（ａ）は、本発明の実施形態１のストリップゲージを備えたコンセント装置の正面図であり、（ｂ）は、同上のコンセント装置の下面図であり、（ｃ）は、同上のコンセント装置の裏面図であり、（ｄ）は、同上のコンセント装置の側面図である。
【図５】同上のコンセント装置の分解斜視図である。
【図６】本発明の実施形態２のストリップゲージを備えたスイッチ装置の分解斜視図である。
【図７】（ａ）は、同上のスイッチ装置の化粧プレート被着前の裏面図であり、（ｂ）は、同上のスイッチ装置の側面図である。
【図８】従来のストリップゲージを備えた配線器具の裏面図である。
【符号の説明】
【００６１】
１    ストリップゲージ
２    スイッチ付きコンセント装置
３    扉体
５    ボディ
５ａ  電線挿入孔
６    カバー
６ａ  コンセント口
７    本体部
８    操作部
９    配置部
９ａ  表示部  
１０    プレート枠
１０ａ  開口部
１０ｂ  取付孔
１０ｃ  溝部
１０ｄ  突出片
１０ｅ  開口端
１１    化粧プレート
１２    端子板
【図１】
2005218173.tif 000003
【図２】
2005218173.tif 000004
【図３】
2005218173.tif 000005
【図４】
2005218173.tif 000006
【図５】
2005218173.tif 000007
【図６】
2005218173.tif 000008
【図７】
2005218173.tif 000009
【図８】
2005218173.tif 000010